(57)【要約】【課題】扁平導体の正確な位置決めと確実な電気的接触が可能であり、しかも、扁平導体の差し換えを容易に行うことができる扁平導体用コネクタを提供する。【解決手段】扁平導体用コネクタは、ハウジング１と加圧部材２と一対のコネクタ取付端子３と抜止機構４とロック機構５とを具備する。図示しない扁平導体をハウジング１に挿入して加圧部材２を閉じると共に、抜止機構４の一対のボス部４０を一対のボス受孔４５に挿入することで、扁平導体の位置決めと抜け防止とを図る。さらに、ロック機構５のガイド部５０に形成された切り欠き５１に加圧部材２に形成された摘み部５５を圧入することで、加圧部材２をロック状態に保持することができる。逆に、摘み部５５を切り欠き５１から外すことで、加圧部材２のロック状態を解除することができる。【選択図】　　　　図１
2004071314.tif 000002
【特許請求の範囲】
【請求項１】
複数の接触端子を収納し、且つ前面に開口した扁平導体挿入用の挿入口及び上方に開口した加圧部材組付用の開口部を有するハウジングと、
後端部が上記ハウジングに軸支された状態で上記開口部内に開閉自在に配され、その閉時に、上記挿入口からハウジング内に挿入された扁平導体を押圧して、扁平導体を上記接触端子に圧接する蓋状の加圧部材と、
上記ハウジングの両側壁に取り付けられた一対のコネクタ取付端子と、
上記ハウジングに挿入された扁平導体の抜け止めを行うための抜止機構と、
を具備する扁平導体用コネクタであって、
上記抜止機構は、
上記加圧部材の下面両縁部に突設された一対のボス部と、上記ハウジングの下壁の両端部であって上記一対のボス部と対応する個所に設けられ且つ上記ボス部の外径と略等しい内径を有した上方開口の一対のボス受孔とを具備し、
先端部の両端部に上記ボス部の外径と略等しい内径の一対の孔を有した扁平導体を上記挿入口からハウジング内に挿入して、上記加圧部材を閉じた際に、上記一対のボス部を当該扁平導体の上記一対の孔を通じて上記ハウジングの一対のボス受孔に挿入することで、当該扁平導体を固定するものである、
ことを特徴とする扁平導体用コネクタ。
【請求項２】
請求項１に記載の扁平導体用コネクタにおいて、
上記一対のボス部の先端部を先細りのテーパー状に形成すると共に、上方拡開のテーパー面を上記一対のボス受孔の開口部分に形成した、
ことを特徴とする扁平導体用コネクタ。
【請求項３】
請求項１または請求項２に記載の扁平導体用コネクタにおいて、
上記一対のコネクタ取付端子間に連結された状態で上記ハウジングの挿入口の上方に位置し、その略中央部の前側に切り欠きを有するガイド部と、
上記加圧部材の前端部であって上記加圧部材の切り欠きと対応する個所に突設され、且つ当該加圧部材の閉時に、上記切り欠きに圧入可能な摘み部と
を具備するロック機構を設けた、
ことを特徴とする扁平導体用コネクタ。
【発明の詳細な説明】
【０００１】
【発明の属する技術分野】
この発明は、フレクシブルフラットケーブル（ＦＦＣ）やフレクシブルプリント基板（ＦＰＣ）等の扁平導体の抜止機構を備えた扁平導体用コネクタに関するものである。
【０００２】
【従来の技術】
従来、この種の扁平導体用コネクタとしては、例えば、実用新案登録第２５１２５３１号の技術がある。
図９は、この扁平導体用コネクタを示す水平断面図であり、図１０は垂直断面図である。
図９に示すように、この扁平導体用コネクタ１００は、両側壁の内面に水平なスリット１０１を有し、フレクシブル基板Ｆの先端部をこのスリット１０１に挿入することで、図１０に示すように、フレクシブル基板Ｆの端子部２０１が扁平導体用コネクタ１００の接触端子１１０に圧接するようになっている。
そして、スリット１０１内部には係合突起１０２が設けられ、フレクシブル基板Ｆの先端部側縁に設けられた凸部２０２がこの係合突起１０２に係合して、フレクシブル基板Ｆの抜け止めが図られている。
【０００３】
【発明が解決しようとする課題】
しかし、上記した従来の扁平導体用コネクタでは、次のような問題がある。
フレクシブル基板Ｆの凸部２０２と扁平導体用コネクタ１００の係合突起１０２とを係合させるだけの構造であるので、フレクシブル基板Ｆの抜け止めを図ることはできるものの、フレクシブル基板Ｆの収納室１０３の幅に誤差が生じた場合には、フレクシブル基板Ｆが収納室１０３の幅方向にずれて、フレクシブル基板Ｆの正確な位置決めが達成されないおそれがある。
また、フレクシブル基板Ｆの端子部２０１を扁平導体用コネクタ１００の接触端子１１０に圧入して、電気的接触を図る構造であるので、接触端子１１０の弾性の誤差や弾性の劣化等によって、フレクシブル基板Ｆの端子部２０１との接触力が弱くなり、接触不良を生じるおそれもある。
さらに、フレクシブル基板Ｆを扁平導体用コネクタ１００に一度差し込むと取り外しが困難なため、フレクシブル基板Ｆの差し換えができず、非常に不便である。
【０００４】
この発明は上述した課題を解決するためになされたもので、扁平導体の正確な位置決めと確実な電気的接触が可能であり、しかも、扁平導体の差し換えを容易に行うことができる扁平導体用コネクタを提供することを目的とするものである。
【０００５】
【課題を解決するための手段】
上記課題を解決するために、請求項１の発明は、複数の接触端子を収納し、且つ前面に開口した扁平導体挿入用の挿入口及び上方に開口した加圧部材組付用の開口部を有するハウジングと、後端部がハウジングに軸支された状態で開口部内に開閉自在に配され、その閉時に、挿入口からハウジング内に挿入された扁平導体を押圧して、扁平導体を接触端子に圧接する蓋状の加圧部材と、ハウジングの両側壁に取り付けられた一対のコネクタ取付端子と、ハウジングに挿入された扁平導体の抜け止めを行うための抜止機構とを具備する扁平導体用コネクタであって、抜止機構は、加圧部材の下面両縁部に突設された一対のボス部と、ハウジングの下壁の両端部であって一対のボス部と対応する個所に設けられ且つボス部の外径と略等しい内径を有した上方開口の一対のボス受孔とを具備し、先端部の両端部にボス部の外径と略等しい内径の一対の孔を有した扁平導体を挿入口からハウジング内に挿入して、加圧部材を閉じた際に、一対のボス部を当該扁平導体の一対の孔を通じてハウジングの一対のボス受孔に挿入することで、当該扁平導体を固定するものである。
かかる構成により、扁平導体を挿入口からハウジング内に挿入して、加圧部材を閉じると、加圧部材が扁平導体を押圧して、扁平導体を接触端子に圧接する。これと並行して、抜止機構の一対のボス部が扁平導体の一対の孔を通じて一対のボス受孔内に挿入し、扁平導体が固定される。
【０００６】
特に、請求項２の発明は、請求項１に記載の扁平導体用コネクタにおいて、一対のボス部の先端部を先細りのテーパー状に形成すると共に、上方拡開のテーパー面を一対のボス受孔の開口部分に形成した構成としてある。
【０００７】
さらに、請求項３の発明は、請求項１または請求項２に記載の扁平導体用コネクタにおいて、一対のコネクタ取付端子間に連結された状態でハウジングの挿入口の上方に位置し、その略中央部の前側に切り欠きを有するガイド部と、加圧部材の前端部であって加圧部材の切り欠きと対応する個所に突設され、且つ当該加圧部材の閉時に、切り欠きに圧入可能な摘み部とを具備するロック機構を設けた構成としてある。
かかる構成により、加圧部材の閉時に、ロック機構の摘み部をガイド部の切り欠きに圧入することで、加圧部材をロック状態に保持することができる。逆に、摘み部を切り欠きから外すことで、加圧部材のロックを解除することができる。
【０００８】
【発明の実施の形態】
以下、この発明の実施形態について図面を参照して説明する。
図１は、この発明の一実施形態に係る扁平導体用コネクタの斜視図であり、図２は、加圧部材を閉じた状態の扁平導体用コネクタの斜視図であり、図３は、図２の矢視Ａ−Ａ断面図である。
図１に示すように、この扁平導体用コネクタは、ハウジング１と、加圧部材２と、一対のコネクタ取付端子３と、抜止機構４と、ロック機構５とを具備している。
【０００９】
ハウジング１は、複数の接触端子１５を収納した箱体であり、図３に示すように、前面（図３の左側面）に開口した挿入口１０と、上方の開口部１１とを有している。
挿入口１０は、後述する扁平導体としてのフレクシブル基板Ｆを挿入する部分であり、開口部１１は、加圧部材２を組み付ける部分である。
各接触端子１５は、下アーム部１５ａをハウジング１の下壁１２に形成された溝１２ａに圧入すると共に、上アーム部１５ｂを上壁１３に形成された溝１３ａに圧入した状態で、ハウジング１内に装着されている。
【００１０】
加圧部材２は、蓋状の板体であり、開口部１１内に配された状態でハウジング１に組み付けられている。
具体的には、図１に示すように、加圧部材２の後端部側面に突設された軸２０を、ハウジング１の側壁１６の凹部で軸受した構造になっている。これにより、加圧部材２を軸２０を中心に回動させることで、開口部１１を開閉することができるようになっている。
【００１１】
コネクタ取付端子３は、上記の如き加圧部材２が組み付けられたハウジング１を図示しない基板等に固定するための部材である。
具体的には、コネクタ取付端子３の取付部３０を側壁１６の上面に載置固定し、取付部３０から側壁１６の側面に沿って垂下した延出部３１の下端部に水平なタブ部３２を設け、このタブ部３２を基板等に半田付け等することで、ハウジング１を基板などに固定する。
【００１２】
抜止機構４は、上記の如くコネクタ取付端子３を用いて基板等に固定されたハウジング１に挿入されたフレクシブル基板Ｆが、ハウジング１から抜ける事態を防止するための機構であり、一対のボス部４０と一対のボス受孔４５とでなる。
一対のボス部４０は、加圧部材２の下面両縁部にそれぞれ突設され、一対のボス受孔４５はハウジング１の両端部であって上記一対のボス部４０と対応する個所に穿設されている。
【００１３】
図４は、抜止機構４を示す部分斜視図である。
図４に示すように、各ボス部４０は外径ｄ１の円柱形状をなし、その先端部には、テーパ面４１が形成されて、先端部が先細りになっている。
一方、ボス受孔４５は、下壁１２の端部を構成する幅広のテーブル部４６に穿設されている。このボス受孔４５は、上方に開口しており、その内径ｄ２は、ボス部４０の外径ｄ１とほぼ等しく設定され、ボス部４０のボス受孔４５への挿入を可能にしている。また、ボス受孔４５の開口部分には、上方拡開のテーパ面４７が形成されている。
これにより、加圧部材２を閉じると、一対のボス部４０が一対のボス受孔４５内に入り込む。
【００１４】
ロック機構５は、図１に示すように、ガイド部５０と摘み部５５とで構成されている。
ガイド部５０は、長尺状の板体であり、一対のコネクタ取付端子３と一体に形成されている。
具体的には、ガイド部５０は、コネクタ取付端子３の取付部３０の前端部と連続するように形成され、図３に示すように、ハウジング１の挿入口１０の真上に配置されている。これにより、図示しないフレクシブル基板Ｆをガイド部５０の下面に当てて、挿入口１０内に挿入すると、フレクシブル基板Ｆがガイド部５０に案内されて接触端子１５の下アーム部１５ａと上アーム部１５ｂとの間に正確に差し込まれる。
【００１５】
このようなガイド部５０の中央部の前側には、図１に示すように、コ字状の切り欠き５１が形成されている。
摘み部５５は、この切り欠き５１に圧入するための部分である。
具体的には、切り欠き５１の幅と略等しい幅の当接板部５６が加圧部材２の前端面２１に突設され、切り欠き５１の幅より小幅の摘み部５５がこの当接板部５６の先端に形成されている。
【００１６】
図５は、ロック機構５の機能を説明するための概略図であり、図５の（ａ）は、加圧部材２の開状態を示し、図５の（ｂ）は、摘み部５５がガイド部５０の上面に当接するまで、加圧部材２を閉じた状態を示し、図５の（ｃ）は、摘み部５５をガイド部５０の切り欠き５１内に圧入して、加圧部材２を完全に閉じた状態を示す。
図５の（ａ）に示すように、摘み部５５は断面矩形であり、その厚さが当接板部５６の厚さの約２倍に設定されて、その下部５５ａが当接板部５６より下方に突出している。
また、当接板部５６の突出長さｔが、図５の（ｃ）に示すように、摘み部５５を切り欠き５１内に嵌めたときに、摘み部５５の後面が切り欠き５１の前面５１ａに当接するような値に設定されている。
したがって、加圧部材２を図５の（ａ）に示す状態から閉じていくと、図５の（ｂ）に示すように、摘み部５５の角が切り欠き５１の前面５１ａの上部付近に当接することとなる。
この状態から、摘み部５５を強く押圧すると、図５の（ｃ）に示すように、摘み部５５がガイド部５０を撓ませながら切り欠き５１内に圧入し、加圧部材２がロック状態になる。
逆に、摘み部５５を切り欠き５１から外すことで、加圧部材２のロック状態を解除することができる。
【００１７】
次に、この実施形態の扁平導体用コネクタの使用例について説明する。
図６は、フレクシブル基板Ｆの先端部分を示す平面図であり、図７は、フレクシブル基板Ｆと接触端子１５との接触状態を示す断面図であり、図７の（ａ）は、加圧部材２が開状態のハウジング１にフレクシブル基板Ｆを挿入した状態を示し、図７の（ｂ）は加圧部材２を閉じてフレクシブル基板Ｆを接触端子１５に圧接させた状態を示す。
【００１８】
図６に示すように、この実施形態の扁平導体用コネクタに適用されるフレクシブル基板Ｆには、その先端部両端であって一対のボス部４０と対応する個所に、ボス部４０の外径ｄ１と略等しい内径の一対の孔６が穿設されている。そして、接触端子１５と同数の端子７がこれら一対の孔６の間に並設されている。これらの端子７はフレクシブル基板Ｆに設けられた配線パターンと電気的に接続されている。
【００１９】
図７の（ａ）に示すように、フレクシブル基板Ｆをガイド部５０の下面に当てた状態で、挿入口１０からハウジング１内に挿入していくと、フレクシブル基板Ｆの先端部は、接触端子１５の下アーム部１５ａと上アーム部１５ｂとの間に案内される。
この状態で、図７の（ｂ）に示すように、加圧部材２を閉じ、摘み部５５を切り欠き５１内に圧入すると、フレクシブル基板Ｆが加圧部材２に押圧され、フレクシブル基板Ｆの各端子７（図６参照）が各接触端子１５の下アーム部１５ａに圧接する。この結果、扁平導体用コネクタの接触端子１５とフレクシブル基板Ｆの上に配線パターンとが、電気的に接続されることとなる。
【００２０】
上記加圧部材２の閉動作とロック機構５のロック動作とに並行して、抜止機構４のフレクシブル基板Ｆに対する位置決め動作及び抜け防止の動作が実行される。
図８は、抜止機構４の動作を説明するための概略部分断面図であり、図８の（ａ）は、ボス部４０とフレクシブル基板Ｆとが当接した状態を示し、図８の（ｂ）は、ボス部４０がフレクシブル基板Ｆの孔６を貫通した状態を示し、図８の（ｃ）は、ボス部４０が孔６を通じてボス受孔４５内に進入した状態を示す。
フレクシブル基板Ｆをハウジング１内に差し込んだ時点では、図８の（ａ）に示すように、ボス部４０の中心軸Ｌ１と孔６の中心軸Ｌ２とボス受孔４５の中心軸Ｌ３とがわずかにずれた状態になっている場合がある。
しかし、この実施形態の扁平導体用コネクタでは、ボス部４０の先端部にテーパ面４１が設けられているので、図８の（ａ）に示すように、このテーパ面４１が孔６の上開口縁に接触すると、ボス部４０がテーパ面４１に案内されて、孔６の中心側に移動しながら、孔６内に進入する。この結果、図８の（ｂ）に示すように、ボス部４０が孔６内を貫通し、中心軸Ｌ１と中心軸Ｌ２とが一致することとなる。
この状態から、加圧部材２をさらに閉じていくと、ボス部４０の先端部がボス受孔４５のテーパ面４７に案内されて、ボス部４０がボス受孔４５内に進入し、中心軸Ｌ１，中心軸Ｌ２，中心軸Ｌ３が一致することとなる。
この結果、フレクシブル基板Ｆは、孔６を通じてボス受孔４５内に進入したボス部４０によって、所望の位置に正確に位置決めされ、フレクシブル基板Ｆの各端子７が各接触端子１５の下アーム部１５ａに確実に接触することになる。また、ハウジング１内に差し込まれたフレクシブル基板Ｆが、ボス部４０とボス受孔４５との係合力によって固定され、フレクシブル基板Ｆをハウジング１から抜き出すことが不可能な状態になる。
また、かかる状態において、フレクシブル基板Ｆを他のフレクシブル基板と差し換える必要が生じた場合には、ロック機構５の摘み部５５をガイド部５０の切り欠き５１から外し、加圧部材２のロック状態を解除する。しかる後、加圧部材２を開いて、現在のフレクシブル基板Ｆを他のフレクシブル基板とを差し換える。
【００２１】
なお、この発明は、上記実施形態に限定されるものではなく、発明の要旨の範囲内において種々の変形や変更が可能である。
例えば、上記実施形態では、抜止機構４のボス部４０及びボス受孔４５にテーパ面を形成すると共に、ロック機構５を設けた扁平導体用コネクタについて説明したが、テーパ面を有しないボス部４０及びボス受孔４５でなる抜止機構４とロック機構５のいずれか一方又は双方を欠いた扁平導体用コネクタを発明の要旨から除外する意味ではない。
【００２２】
【発明の効果】
以上詳しく説明したように、この発明の扁平導体用コネクタによれば、加圧部材が扁平導体を接触端子に圧接すると共に、抜止機構のボス部がボス受孔に入り込んで、扁平導体を固定するので、扁平導体の正確な位置決めがなされ、この結果、扁平導体と接触端子との電気的接触が確実に維持されるという優れた効果がある。
また、ボス部の先端部を先細りのテーパー状に形成すると共に、テーパー面をボス受孔の開口部分に形成することで、扁平導体をハウジングに挿入した際に、多少の位置ズレが生じた場合においても、ボス部をボス受孔に確実に挿入させることができるという効果がある。
特に、ロック機構を設けることにより、加圧部材のロック及びロック解除を行うことができるので、扁平導体の差し換えを自由に行うことができ、非常に便利である。
【図面の簡単な説明】
【図１】この発明の一実施形態に係る扁平導体用コネクタの斜視図である。
【図２】加圧部材を閉じた状態の扁平導体用コネクタの斜視図である。
【図３】図２の矢視Ａ−Ａ断面図である。
【図４】抜止機構を示す部分斜視図である。
【図５】ロック機構の機能を説明するための概略図であり、図５の（ａ）は、加圧部材の開状態を示し、図５の（ｂ）は、摘み部がガイド部の上面に当接するまで、加圧部材を閉じた状態を示し、図５の（ｃ）は、摘み部をガイド部の切り欠き内に圧入して、加圧部材を完全に閉じた状態を示す。
【図６】フレクシブル基板Ｆの先端部分を示す平面図である。
【図７】フレクシブル基板と接触端子との接触状態を示す断面図であり、図７の（ａ）は、加圧部材が開状態のハウジングにフレクシブル基板を挿入した状態を示し、図７の（ｂ）は、加圧部材を閉じてフレクシブル基板を接触端子に圧接させた状態を示す。
【図８】抜止機構の動作を説明するための概略部分断面図であり、図８の（ａ）は、ボス部とフレクシブル基板とが当接した状態を示し、図８の（ｂ）は、ボス部がフレクシブル基板の孔を貫通した状態を示し、図８の（ｃ）は、ボス部が孔を通じてボス受孔内に進入した状態を示す。
【図９】従来の扁平導体用コネクタを示す水平断面図である。
【図１０】図９に示す扁平導体用コネクタの垂直断面図である。
【符号の説明】
１…ハウジング、　２…加圧部材、　３…コネクタ取付端子、　４…抜止機構、　５…ロック機構、　１０…挿入口、　１１…開口部、　１５…接触端子、　４０…ボス部、　４５…ボス受孔、　５０…ガイド部、　５１…切り欠き、　５５…摘み部、　Ｆ…フレクシブル基板。
【図１】
2004071314.tif 000003
【図２】
2004071314.tif 000004
【図３】
2004071314.tif 000005
【図４】
2004071314.tif 000006
【図５】
2004071314.tif 000007
【図６】
2004071314.tif 000008
【図７】
2004071314.tif 000009
【図８】
2004071314.tif 000010
【図９】
2004071314.tif 000011
【図１０】
2004071314.tif 000012